(57)【要約】【課題】原稿毎に記憶先を自動的に選択させて記憶させるための利用者の作業を削減することのできる画像読取装置を提供すること。【解決手段】複数のフォルダと複数の関連文字とが対応付けられた関連文字情報を予め記憶しておく。そして，読み取られた画像に含まれた文字を認識し（Ｓ５０），その認識された文字の中から前記関連文字情報に含まれた関連文字を抽出する（Ｓ６０）。そして，前記関連文字情報を参照して前記抽出された関連文字に対応するフォルダを抽出し（Ｓ７０），該フォルダを記憶先のフォルダとして設定する（Ｓ９１）。【選択図】図４
2007148640.tif 000002
【特許請求の範囲】
【請求項１】
原稿の画像を読み取る画像読取手段と，前記画像読取手段によって読み取られた画像を記憶する複数の画像記憶手段と，前記画像読取手段によって読み取られた画像に含まれた文字を認識する文字認識手段と，前記画像読取手段によって読み取られた画像を記憶する前記画像記憶手段を選択する記憶先選択手段と，を備えてなる画像読取装置であって，
前記複数の画像記憶手段と複数の関連文字とが対応付けられた関連文字情報を記憶する関連情報記憶手段と，前記文字認識手段によって認識された文字から一又は複数の前記関連文字を抽出する関連文字抽出手段と，を備えてなり，
前記記憶先選択手段が，前記関連文字抽出手段によって抽出された一又は複数の前記関連文字と前記関連情報記憶手段に記憶された前記関連文字情報とに基づいて，前記画像読取手段によって読み取られた画像を記憶する画像記憶手段を選択してなることを特徴とする画像読取装置。
【請求項２】
前記記憶先選択手段が，
前記関連文字抽出手段によって抽出された一又は複数の前記関連文字に対応する前記画像記憶手段が複数存在するか否かを判定する第１の判定手段を含んでなり，
前記第１の判定手段によって前記関連文字に対応する画像記憶手段が複数存在しないと判定された場合は該関連文字に対応する画像記憶手段を選択し，前記第１の判定手段によって前記関連文字に対応する前記画像記憶手段が複数存在すると判定された場合は該複数の画像記憶手段のうち，対応する前記関連文字の数が最も多い画像記憶手段を選択するものである請求項１に記載の画像読取装置。
【請求項３】
前記記憶先選択手段が，
前記関連文字抽出手段によって抽出された一又は複数の前記関連文字に対応する前記画像記憶手段が複数存在するか否かを判定する第１の判定手段を含んでなり，
前記第１の判定手段によって前記関連文字に対応する前記画像記憶手段が複数存在しないと判定された場合は該関連文字に対応する画像記憶手段を選択し，前記第１の判定手段によって前記関連文字に対応する前記画像記憶手段が複数存在すると判定された場合は，所定の入力手段からの選択入力に応じて前記画像記憶手段を選択するものである請求項１に記載の画像読取装置。
【請求項４】
前記第１の判定手段によって前記関連文字に対応する前記画像記憶手段が複数存在しないと判定された場合は該関連文字に対応する画像記憶手段を選択し，前記第１の判定手段によって前記関連文字に対応する前記画像記憶手段が複数存在すると判定された場合に，該複数の画像記憶手段を，対応する前記関連文字の数が多い順に並べて表示する表示手段を更に備えてなる請求項３に記載の画像読取装置。
【請求項５】
当該画像読取装置の利用者を識別する利用者識別手段と，前記複数の画像記憶手段と該画像記憶手段の利用者とが対応付けられた利用者対応情報を記憶する利用者対応情報記憶手段と，前記関連文字抽出手段によって抽出された一又は複数の前記関連文字に対応する前記画像記憶手段が複数存在するか否かを判定する第１の判定手段と，前記第１の判定手段によって前記文字に対応する前記画像記憶手段が複数存在すると判定された場合に，該複数の画像記憶手段に前記利用者識別手段によって識別された利用者に対応する画像記憶手段が存在するか否かを前記利用者対応情報記憶手段に記憶された利用者対応情報に基づいて判定する第２の判定手段と，を更に備えてなり，
前記記憶先選択手段が，前記第１の判定手段によって前記文字に対応する前記画像記憶手段が複数存在しないと判定された場合は該文字に対応する画像記憶手段を選択し，前記第１の判定手段によって前記文字に対応する前記画像記憶手段が複数存在すると判定され，且つ前記第２の判定手段によって前記利用者に対応する画像記憶手段が存在すると判定された場合は該利用者に対応する画像記憶手段を選択してなる請求項１に記載の画像読取装置。
【請求項６】
前記複数の画像記憶手段の優先順位を予め記憶する優先順位記憶手段を更に備えてなり，
前記記憶先選択手段が，前記第１の判定手段によって前記文字に対応する前記画像記憶手段が複数存在すると判定され，且つ前記第２の判定手段によって前記利用者に対応する前記画像記憶手段が存在しないと判定された場合は，前記優先順位記憶手段に記憶された前記優先順位に従って画像記憶手段を選択するものである請求項５に記載の画像読取装置。
【発明の詳細な説明】
【技術分野】
【０００１】
本発明は，原稿の画像を読み取って記憶する画像読取装置に関し，特に，画像を記憶する記憶手段を複数の記憶手段の中から選択する処理に関するものである。
【背景技術】
【０００２】
一般に，原稿の画像を読み取る画像読取装置（スキャナ装置）では，画像の読み取り開始前に，利用者によってその読み取った画像を記憶する先が指定される。例えば，スキャナ装置に設けられたハードディスク内のいずれのフォルダ（ディレクトリ）に記憶するかが指定される。しかし，複数の原稿をＡＤＦ（自動原稿搬送装置）を用いて連続して読み取る場合には，その原稿毎に記憶先のフォルダを指定することができない。
そこで，例えば特許文献１では，原稿の所定の位置に記載された記憶先のフォルダ名を認識し，読み取った原稿の画像をそのフォルダに記憶することのできる画像読取装置が提案されている。これにより，利用者は，原稿の所定の位置に記憶先のフォルダ名を記載しておくだけで，読み取られた画像を自動的に所望のフォルダに記憶させることができる。
【特許文献１】特開２００２−７４３２１号公報
【発明の開示】
【発明が解決しようとする課題】
【０００３】
しかしながら，前記特許文献１では，記憶先を認識させるためのフォルダ名を原稿毎に記載しておかなければ，該原稿を所望のフォルダに自動的に記憶させることができないため，該フォルダ名を原稿に追記するという作業が利用者に強いられ，手間がかかるという問題がある。
従って，本発明は上記事情に鑑みてなされたものであり，その目的とするところは，原稿毎に記憶先を自動的に選択させて記憶させるための利用者の作業を削減することのできる画像読取装置を提供することにある。
【課題を解決するための手段】
【０００４】
上記目的を達成するために本発明は，原稿の画像を読み取る画像読取手段と，前記画像読取手段によって読み取られた画像を記憶する複数の画像記憶手段と，前記画像読取手段によって読み取られた画像に含まれた文字を認識する文字認識手段と，前記画像読取手段によって読み取られた画像を記憶する前記画像記憶手段を選択する記憶先選択手段と，を備えてなる画像読取装置に適用されるものであって，前記複数の画像記憶手段と複数の関連文字とが対応付けられた関連文字情報を記憶する関連情報記憶手段と，前記文字認識手段によって認識された文字から一又は複数の前記関連文字を抽出する関連文字抽出手段と，を備えてなり，前記記憶先選択手段が，前記関連文字抽出手段によって抽出された一又は複数の前記関連文字と前記関連情報記憶手段に記憶された前記関連文字情報とに基づいて，前記画像読取手段によって読み取られた画像を記憶する画像記憶手段を選択するように構成される。
これにより，原稿の画像の記憶先が該画像の内容に基づいて自動的に選択されるため，当該画像読取装置の利用者は，従来のように，原稿に記憶先を追記するなどの作業を行う必要がなくなる。
【０００５】
また，前記関連文字抽出手段によって抽出された一又は複数の前記関連文字に対応する前記画像記憶手段が複数存在するか否かを判定した結果，前記関連文字に対応する画像記憶手段が複数存在しないと判定された場合には，該関連文字に対応する画像記憶手段を選択すればよいが，前記関連文字に対応する前記画像記憶手段が複数存在すると判定された場合には，その複数の候補の中から前記画像を記憶する画像記憶手段を選択するための処理が必要となる。この処理の一例として，前記複数の画像記憶手段のうち，対応する前記関連文字の数が最も多い画像記憶手段を選択することが考えられる。
また，他の手法として，所定の入力手段からの選択入力に応じて前記画像記憶手段を選択することも考えられる。このとき，前記複数の画像記憶手段を，対応する前記関連文字の数が多い順に並べて表示させることによって，利用者は容易に原稿に関連の深い画像記憶手段を一目で判断することができる。
【０００６】
さらに，利用者によって使用する画像記憶手段が異なる場合には，前記関連文字に対応する複数の画像記憶手段のうち，その利用者に対応する画像記憶手段を記憶先として選択することも考えられる。
そこで，当該画像読取装置の利用者を識別する利用者識別手段と，前記複数の画像記憶手段と該画像記憶手段の利用者とが対応付けられた利用者対応情報を記憶する利用者対応情報記憶手段と，前記関連文字抽出手段によって抽出された一又は複数の前記関連文字に対応する前記画像記憶手段が複数存在するか否かを判定する第１の判定手段と，前記第１の判定手段によって前記文字に対応する前記画像記憶手段が複数存在すると判定された場合に，該複数の画像記憶手段に前記利用者識別手段によって識別された利用者に対応する画像記憶手段が存在するか否かを前記利用者対応情報記憶手段に記憶された利用者対応情報に基づいて判定する第２の判定手段と，を更に備えてなり，前記記憶先選択手段が，前記第１の判定手段によって前記文字に対応する前記画像記憶手段が複数存在しないと判定された場合は該文字に対応する画像記憶手段を選択し，前記第１の判定手段によって前記文字に対応する前記画像記憶手段が複数存在すると判定され，且つ前記第２の判定手段によって前記利用者に対応する画像記憶手段が存在すると判定された場合は該利用者に対応する画像記憶手段を選択するように構成することが考えられる。これにより，使用者に応じて，前記関連文字に対応する複数の画像記憶手段の中から画像を記憶する画像記憶手段を自動的に選択させることが可能となる。
また，予め前記複数の画像記憶手段の優先順位を記憶しておき，前記第１の判定手段によって前記文字に対応する前記画像記憶手段が複数存在すると判定され，且つ前記第２の判定手段によって前記利用者に対応する前記画像記憶手段が存在しないと判定された場合に，前記優先順位に従って画像記憶手段を選択してもよい。
【発明の効果】
【０００７】
本発明によれば，原稿の画像の記憶先が該画像の内容に基づいて自動的に選択されるため，当該画像読取装置の利用者は，従来のように，原稿に記憶先を記載するなどの作業を行う必要がなくなる。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るスキャナ装置Ｘの概略構成を示すブロック図，図２は前記スキャナ装置Ｘの記憶部５を説明するための図，図３は前記スキャナ装置Ｘで用いられる関連情報の一例を示す図，図４は前記スキャナ装置Ｘにおいて実行される記憶先選択処理の手順の一例を説明するための図である。
まず，図１のブロック図を用いて，本発明の実施の形態に係るスキャナ装置Ｘの概略構成について説明する。
図１に示すように，前記スキャナ装置Ｘは，制御部１と，操作表示部２と，画像読取部３（画像読取手段の一例）と，データ通信部４と，記憶部５と，カードリーダー６とを備えて概略構成されている。また，前記スキャナ装置Ｘは，前記データ通信部４及びＬＡＮ１０を介して，ハードディスク等の記憶手段を有する情報処理装置Ｙ１，Ｙ２（パーソナルコンピュータ等）と接続されている。
【０００９】
前記制御部１は，ＣＰＵやＲＯＭ，ＲＡＭなどの制御機器を備え，上記ＲＯＭに格納された所定の制御プログラムに従った処理を実行することによって，当該複合機Ｘを統括的に制御するものである。また，前記制御部１は，前記画像読取部３によって読み取られた画像に含まれた文字を認識する文字認識機能（ＯＣＲ機能）を具現するものである。
前記操作表示部２は，各種の情報を表示する液晶ディスプレイ，該液晶ディスプレイ上に配設されたタッチパネル等を備えて構成されている。
前記画像読取部３は，ＣＣＤ（Charge Coupled Device）やＣＩＳ（Contact Image Sensor）等のイメージセンサを備えており，不図示の原稿台にセットされた原稿或いは不図示の自動原稿搬送装置（ＡＤＦ）によって搬送された原稿を走査することによって，該原稿の画像を読み取って電子データ化するものである。
前記データ通信部４は，ＩＥＥＥ８０２．３規格やＩＥＥＥ８０２．１１ｂ規格などに準拠した有線又は無線による通信媒体，通信機器などからなり，前記情報処理装置Ｙ１，Ｙ２との間で画像データ等の送受信を可能にするものである。
【００１０】
前記カードリーダー６は，利用者が所有するＩＤカード（記憶媒体）に記憶された該利用者の名前やＩＤ番号などの識別情報を読み取るものであって，該カードリーダー６によって読み取られた識別情報は前記制御部１に入力される。これにより，前記制御部１では，前記識別情報に基づいて当該スキャナ装置Ｘの現在の利用者が識別される。
前記スキャナ装置Ｘでは，前記カードリーダー６によって利用者の識別情報が入力されたことを条件に，前記画像読取部３による画像の読取動作が可能となる。
【００１１】
前記記憶部５は，前記画像読取部３によって読み取られた画像のデータや後述する関連情報などの各種の電子データを記憶するハードディスク等の記憶手段である。
ここで，図２を用いて，前記記憶部５について説明する。
図２に示すように，前記記憶部５の記憶領域には，大きく分けて利用者Ａが使用するフォルダ５１と，利用者Ｂが使用するフォルダ５２と，利用者Ｃが使用するフォルダ５３とが設けられている。前記フォルダ５１，５２，５３には，利用者Ａ，Ｂ，Ｃが自己の使用するフォルダであることを判別するため，「Ａ１」，「Ｂ１」，「Ｃ１」というフォルダ名が付されている。
また，前記フォルダ５１内にはフォルダ５１ａ〜５１ｃ（画像記憶手段の一例），前記フォルダ５２内にはフォルダ５２ａ〜５２ｃ（画像記憶手段の一例），前記フォルダ５３内にはフォルダ５３ａ〜５３ｃ（画像記憶手段の一例）が設けられている。前記フォルダ５１ａ〜５１ｃ，５２ａ〜５２ｃ，５３ａ〜５３ｃには，前記画像読取部３によって読み取られた画像が記憶される。
前記フォルダ５１ａ〜５１ｃ各々には，利用者Ａが前記フォルダ５１内でこれらを区別するために，「Ａ１１」，「Ａ１２」，「Ａ１３」というフォルダ名が付されている。同じく，前記フォルダ５２ａ〜５２ｃには，「Ａ１１」，「Ｂ１１」，「Ｂ１２」，前記フォルダ５３ａ〜５３ｃには，「Ａ１１」，「Ｂ１１」，「Ｃ１１」というフォルダ名が付されている。ここで，前記フォルダ５１ａ，５２ａ，５３ａには「Ａ１１」，前記フォルダ５２ｂ，５３ｂには「Ｂ１１」という同じフォルダ名が付されているが，前記フォルダ５１ａ，５２ａ，５３ａ各々や前記フォルダ５２ｂ，５３ｂ各々は，異なるフォルダ内に設けられたものであるため，これをもって区別することが可能である。
【００１２】
ところで，前述したように，従来では，原稿の所定の位置に記載されたフォルダ名が付されたフォルダに，読み取られた原稿の画像を記憶するように処理されていたため，利用者にそのフォルダ名を記載するという作業が強いられていた。
しかしながら，本発明の実施の形態に係る前記スキャナ装置Ｘでは，前記制御部１によって後述する記憶先選択処理（図４のフローチャート参照）が実行されることにより，読み取られた原稿の画像に含まれた関連文字と前記記憶部５に記憶された後述の関連情報とに基づいて，記憶先のフォルダが自動的に選択される。ここに，かかる記憶先選択処理を実行するときの前記制御部１が記憶先選択手段に相当する。したがって，前記スキャナ装置Ｘでは，従来のように原稿に記憶先を記載する作業などを行う必要がなく利用者Ａの手間を省くことができる。
【００１３】
ここで，図３を用いて，前記記憶部５に記憶された関連情報の一例について説明する。前記関連情報は，前記操作表示部２への操作入力や初期設定などによって予め設定され，前記記憶部５において前記フォルダ５１〜５３とは別の記憶領域（不図示）に記憶されている。
具体的に，前記関連情報は，図３に示すように，利用者とフォルダ名と関連文字と優先順位との対応関係を示すものであって，利用者対応情報の一例である。例えば，利用者Ａには，フォルダ名「Ａ１」，「Ａ１１」，「Ａ１２」，「Ａ１３」が対応付けられており，更に，フォルダ名「Ａ１１」には関連文字「Ａ１１１」，「Ａ１１２」，優先順位「１」が，フォルダ名「Ａ１２」には関連文字「Ａ１２１」，「Ａ１２２」，優先順位「４」が，フォルダ名「Ａ１３」には関連文字「Ａ１３１」，「Ａ１３２」，優先順位「７」が対応付けられている。ここに，前記関連文字は，後述の記憶先選択処理（図４のフローチャート参照）において，画像の記憶先を判断するための指標となるキーワードであって，前記優先順位は，記憶先の候補が複数存在する場合にその中から記憶先を選択するための指標となる優先順位である。なお，図３に示すように，他の利用者Ｂ，Ｃについても同様に設定されているがここではその説明を省略する。ここに，前記関連情報を記憶する前記記憶部５が，関連文字情報記憶手段，利用者対応情報記憶手段，優先順位記憶手段に相当する。なお，前記関連情報は，前記制御部１内のＲＯＭなどに記憶されていてもかまわない。この場合，その記憶先が関連文字情報記憶手段，利用者対応情報記憶手段，優先順位記憶手段に相当する。また，前記関連情報は，図３に示すように，テーブルデータとして記憶されたものに限られず，例えば各フォルダ毎に設定されていてもかまわない。
【００１４】
以下，図４のフローチャートに従って，前記スキャナ装置Ｘにおいて前記制御部１によって実行される記憶先選択処理の手順の一例について説明する。なお，図中のＳ１０，Ｓ２０，…は処理手順（ステップ）の番号を表している。
まず，前記スキャナ装置Ｘにおいて，利用者Ａによって関連文字「Ａ１２１」を含む原稿（以下，「原稿Ｔ１」という）の画像の読み取りが要求された場合に実行される処理を例に挙げて説明する。
ステップＳ１０では，当該スキャナ装置Ｘを利用する利用者の識別情報が入力されたか否かが前記制御部１によって判断される。具体的には，利用者によって自己の所有するＩＤカードを前記カードリーダー６に読み取らせる操作が行われ，該カードリーダー６によって前記ＩＤカードから読み取られた利用者の識別情報が前記制御部１に入力されたか否かが判断される。あるいは，自分の名前やＩＤ，所属などが前記操作表示部２から入力されたか否かが判断される。
ここでは，利用者ＡによってＩＤカードを前記カードリーダー６に読み取らせる操作が行われて，該カードリーダー６によって利用者Ａの識別情報が読み取られて前記制御部１に入力され（Ｓ１０のＹｅｓ側），処理はステップＳ２０に移行する。なお，前記ステップＳ１０は，利用者の識別情報が入力されるまで，即ち前記カードリーダー６によって前記識別情報が読み取られるまで繰り返し実行される（Ｓ１０のＮｏ側）。
【００１５】
続くステップＳ２０では，前記制御部１によって，前記カードリーダー６から入力された前記識別情報に基づいて利用者が識別される。ここでは，前記識別情報が利用者Ａを示すものであるから，利用者が利用者Ａであることが識別される。ここに，かかる識別処理を実行するときの前記制御部１が利用者識別手段に相当する。
【００１６】
その後，ステップＳ３０では，画像の読み取りが要求されたか否かが前記制御部１によって判断される。具体的には，前記操作表示２に設けられた不図示のスタートボタンが操作された否かが判断される。ここでは，利用者Ａによって前記原稿Ｔ１が原稿台にセットされて前記スタートボタンの操作が行われることにより，画像の読取要求がなされたと判断され（Ｓ３０のＹｅｓ側），処理はステップＳ４０に移行する。なお，前記ステップＳ１０は，読取要求がなされるまで，即ち前記スタートボタンが操作されるまで繰り返し実行される（Ｓ３０のＮｏ側）。
【００１７】
次に，ステップＳ４０では，前記制御部１によって前記画像読取部３が制御されることにより，該画像読取部３による前記原稿Ｔ１の画像の読み取りが行われる。なお，ここで読取られた前記原稿Ｔ１の画像は，一時的に，前記制御部１のＲＡＭや前記記憶部５に設けられた不図示の画像メモリなどに記憶される。
【００１８】
前記原稿Ｔ１の画像の読み取りが終了すると，処理はステップＳ５０に移行し，該原稿Ｔ１の画像に含まれた文字を認識する文字認識処理が前記制御部１によって実行される。ここに，かかる文字認識処理を実行するときの前記制御部１が文字認識手段に相当する。なお，当該ステップＳ５０では，前記原稿Ｔ１の画像の全体に含まれた文字を認識しても良いが，処理時間を短縮するために該画像の一部に含まれた文字だけを認識してもよい。
【００１９】
次に，ステップＳ６０では，前記ステップＳ５０で認識された文字から前記関連情報（図３参照）に含まれた「Ａ１１１」や「Ａ１１２」等の関連文字を抽出する処理が前記制御部１によって実行される。ここに，かかる抽出処理を実行するときの前記制御部１が関連文字抽出手段に相当する。ここでは，前記原稿Ｔ１内に関連文字「Ａ１２１」が含まれているため，該関連文字「Ａ１２１」が抽出される。
【００２０】
そして，ステップＳ７０では，前記ステップＳ６０において関連文字が抽出されたか否かが前記制御部１によって判断される。ここでは，前記ステップＳ６０において関連文字「Ａ１２１」が抽出されたと判断されるため（Ｙ７０のＹｅｓ側），処理はステップＳ８０に移行する。
続くステップＳ８０では，前記ステップＳ７０で抽出された関連文字に対応するフォルダ名が付されたフォルダが，前記関連情報（図３参照）に基づいて前記制御部１によって抽出される。ここでは，関連文字「Ａ１２１」に対応するフォルダ名「Ａ１２」が付された前記フォルダ５１ｂが抽出される。
【００２１】
次に，ステップＳ９０では，前記ステップＳ８０において抽出されたフォルダ，即ち関連文字「Ａ１２１」に対応するフォルダが複数存在するか否かが前記制御部１によって判断される。ここに，かかる判断処理を実行するときの前記制御部１が第１の判定手段に相当する。ここでは，前記ステップＳ８０において前記フォルダ５１ｂだけが抽出されている場合（Ｓ９０のＮｏ側）をまず考える。この場合，フォルダが複数ではないと判断され，処理はステップＳ９１に移行する。
続くステップＳ９１では，前記制御部１によって，前記ステップＳ８０において抽出されたフォルダが記憶先のフォルダとして選択される。したがって，ここでは，前記フォルダ５１ｂが記憶先のフォルダとして選択される。
そして，処理はステップＳ１２０に移行し，前記制御部１によって，前記原稿Ｔ１の画像が前記ステップＳ９１で記憶先のフォルダとして選択された前記フォルダ５１ｂに記憶される。
【００２２】
一方，前記ステップＳ７０において関連文字が抽出されなかったと判断された場合には（Ｓ７０のＮｏ側），処理はステップＳ７１に移行して，前記制御部１によって，関連文字が抽出されなかった原稿の画像を記憶するために予め設定された所定のフォルダ（不図示）が記憶先のフォルダとして選択され，その後，ステップＳ１２０において，前記制御部１によって，前記原稿Ｔ１の画像が前記ステップＳ７１で記憶先のフォルダとして選択された前記所定の記憶フォルダに記憶される。
【００２３】
このように，関連文字「Ａ１２１」を含む原稿Ｔ１の画像が読み取られた場合には，前記ステップＳ８０において，関連文字「Ａ１２１」に対応する前記フォルダ５１ｂが一つだけ抽出されるため，そのフォルダ５１ｂが記憶先のフォルダとして選択される。しかし，前記ステップＳ８０において，関連文字に対応するフォルダが複数抽出された場合には，その複数のフォルダのいずれかのフォルダを記憶先のフォルダとして選択する必要がある。そこで，前記制御部１によって実行される当該記憶先選択処理（図４参照）では，前記ステップＳ９０において，関連文字に対応するフォルダが複数存在すると判断された場合には（Ｓ９０のＹｅｓ側），続いてステップＳ１００以降の処理が実行される。
【００２４】
以下では，利用者Ａによって関連文字「Ａ１１１」が含まれた原稿（以下，「原稿Ｔ２」という）の画像の読み取りが要求された場合に実行される処理を例に挙げて説明する。
この場合には，前記ステップＳ６０で関連文字「Ａ１１１」が抽出され，前記ステップＳ８０において，その関連文字「Ａ１１１」に対応するフォルダ名「Ａ１１」が付された前記フォルダ５１ａ，５２ａ，５３ａが抽出される。したがって，続くステップＳ９０において，前記関連文字「Ａ１１１」に対応するフォルダが複数存在すると判断されるため（ステップＳ９０のＹｅｓ側），処理はステップＳ１００に移行する。なお，以下で説明するステップＳ１００以降の処理は，前記ステップＳ８０において複数の異なる関連文字が抽出されて，該複数の関連文字に対応するフォルダとして複数の異なるフォルダが抽出された場合にも実行される。例えば，関連文字「Ａ１１１」と「Ｂ１１１」とが抽出された場合には，これらに対応するフォルダ５１ａ，５２ｂ，５３ｂが抽出されるため，処理はステップＳ１００に移行することとなる。
【００２５】
そして，ステップＳ１００では，前記ステップＳ８０において抽出された複数のフォルダの中に，当該スキャナ装置Ｘの現在の利用者に対応するフォルダが存在するか否かが前記制御部１によって判断される。ここに，かかる判断処理を実行するときの前記制御部１が第２の判定手段に相当する。
具体的には，前記ステップＳ２０において識別された利用者に対応するフォルダが前記ステップＳ８０で抽出された複数のフォルダの中に存在するか否かが，前記関連情報（図３参照）に基づいて判断される。ここでは，まず前記ステップＳ２０において現在の利用者が利用者Ａであることが識別された場合を考える。この場合，前記ステップＳ８０で抽出された複数のフォルダ５１ａ，５２ａ，５３ａのうち，前記フォルダ５１ａが利用者Ａに対応するフォルダであるため（図３参照），現在の利用者に対応するフォルダが存在すると判断され（Ｓ１００のＹｅｓ側），処理はステップＳ１１０に移行する。
続くステップＳ１１０では，前記制御部１によって，利用者に対応するフォルダが記憶先のフォルダとして選択される。したがって，ここでは，利用者Ａに対応する前記フォルダ５１ａが記憶先のフォルダとして選択される。
そして，ステップＳ１２０では，前記ステップＳ１１０で記憶先のフォルダとして選択された前記フォルダ５１ａに前記原稿Ｔ２の画像が記憶される。
【００２６】
このように，前記スキャナ装置Ｘでは，関連文字「Ａ１１１」を含む原稿Ｔ２の画像が読み取られ，前記ステップＳ８０において，関連文字「Ａ１１１」に対応する前記フォルダ５１ｂが複数抽出された場合には，前記ステップＳ１１０において，利用者Ａに対応するフォルダ５１ａが記憶先のフォルダとして自動的に選択される。これにより，利用者Ａは，前記原稿Ｔ２の記憶先の候補が複数存在する場合であっても，自己の使用する前記フォルダ５１内に設けられた前記フォルダ５１ｂを選択する操作を行う手間を省くことができる。
ところが，前記ステップＳ８０で複数抽出されたフォルダの中に，利用者に対応するフォルダが存在しない場合には，他の方法で記憶先のフォルダを選択する必要がある。そこで，前記制御部１によって実行される当該記憶先選択処理（図４参照）では，前記ステップＳ１００において，前記ステップＳ８０で複数抽出されたフォルダの中に，利用者に対応するフォルダが存在しないと判断された場合には（Ｓ１００のＮｏ側），処理はステップＳ１０１に移行する。
【００２７】
以下では，利用者Ａによって関連文字「Ｂ１１１」が含まれた原稿Ｔ３の画像の読み取りが要求された場合に実行される処理を例に挙げて説明する。
この場合には，前記ステップＳ６０で関連文字「Ｂ１１１」が抽出され，前記ステップＳ８０において，その関連文字「Ｂ１１１」に対応するフォルダ名「Ｂ１１」が付された前記フォルダ５２ｂ，５３ｂが抽出される。したがって，続くステップＳ９０において，前記関連文字「Ｂ１１１」に対応するフォルダが複数存在すると判断されるため（Ｓ９０のＹｅｓ側），処理はステップＳ１００に移行する。そして，ステップＳ１００では，前記ステップＳ８０で抽出されたフォルダに利用者Ａに対応するフォルダが存在していないと判断されるため（Ｓ１００のＮｏ側），処理はステップＳ１０１に移行する。
【００２８】
そして，ステップＳ１０１では，前記制御部１によって，前記関連情報（図３参照）に含まれた優先順位に従って，前記ステップＳ８０で抽出された複数のフォルダの中から記憶先のフォルダが選択される。具体的には，前記制御部１によって，前記ステップＳ８０で抽出された複数のフォルダ各々に対応する優先順位が前記記憶部５から読み出されて比較され，その優先順位が最も高いフォルダが，記憶先のフォルダとして選択される。ここでは，図３に示すように，前記記憶部５に記憶された関連情報において，前記フォルダ５２ｂの優先順位が「５」，前記フォルダ５３ｂの優先順位が「６」に設定されている。したがって，前記ステップＳ１０１では，前記制御部１によって前記フォルダ５２ｂの優先順位「５」及び前記フォルダ５３ｂの優先順位「６」が，前記記憶部５から読み出されて比較されることにより，前記フォルダ５２ｂの方が優先順位が高いと判断され，該フォルダ５２ｂが記憶先のフォルダとして選択される。
そして，ステップＳ１２０では，前記ステップＳ１０１で記憶先のフォルダとして選択された前記フォルダ５２ｂに前記原稿Ｔ３の画像が記憶される。このように，当該記憶先選択処理においては，前記原稿Ｔ３の画像の記憶先の候補であるフォルダが複数存在する場合であっても，その中から前記優先順位に従って自動的に記憶先のフォルダが選択されるため，利用者Ａの手間が省かれる。
【００２９】
なお，本実施の形態では，前記画像読取部３によって読取られた画像を前記記憶部５に記憶する際に，その記憶先のフォルダを選択する場合を例に挙げて説明したが，これに限られず，例えば，読み取られた画像を前記情報処理装置Ｙ１やＹ２などに出力して記憶させる際に，その記憶先の情報処理装置を選択する場合に適用することも可能である。
【実施例１】
【００３０】
前記実施の形態で説明した記憶先選択処理（図４参照）では，前記ステップＳ１０１において，前記ステップＳ８０で抽出された複数のフォルダの中から該フォルダ各々の優先順位に従って記憶先のフォルダが選択される例について説明した。
以下，本実施例１では，このステップＳ１０１に換わる処理として，前記ステップＳ８０で抽出された複数のフォルダのうち，対応する前記関連情報の数が最も多いフォルダを記憶先のフォルダとして選択する処理が実行される例について説明する。このようなルールも優先順位の一つと考えることもできる。
【００３１】
ここでは，利用者Ａによって関連文字「Ｂ１１１」，「Ｂ１１２」が含まれた原稿Ｔ４の画像の読み取りが要求された場合に実行される処理を例に挙げて説明する。
この場合には，前記ステップＳ６０で関連文字「Ｂ１１１」，「Ｂ１１２」が抽出され，前記ステップＳ８０において，その関連文字「Ｂ１１１」，「Ｂ１１２」に対応するフォルダ名「Ｂ１１」が付された前記フォルダ５２ｂ，５３ｂが抽出される。したがって，続くステップＳ９０において，関連文字に対応するフォルダが複数存在すると判断されるため（ステップＳ９０のＹｅｓ側），処理はステップＳ１００に移行する。そして，前記ステップＳ１００では，前記ステップＳ８０で抽出された複数のフォルダの中に利用者Ａに対応するフォルダが含まれていないと判断されるため（Ｓ１００のＮｏ側），処理はステップＳ１０１に移行することとなる。
【００３２】
そして，本実施例１に係るステップＳ１０１では，前述したように，前記ステップＳ８０で抽出された複数のフォルダのうち，対応する関連文字の数が最も多いフォルダが記憶先のフォルダとして前記制御部１によって選択される。ここで，前記フォルダ５２ｂは関連文字「Ｂ１１１」に対応しており，前記フォルダ５３ｂは関連文字「Ｂ１１１」，「Ｂ１１２」に共に対応している。したがって，前記ステップＳ１０１では，前記制御部１によって，前記フォルダ５３ｂの方が対応する関連文字が多いと判断されて，該フォルダ５３ｂが記憶先のフォルダとして選択される。
なお，前記ステップＳ６０において抽出される関連文字各々の数を計数しておき，最も数の多い関連文字に対応するフォルダを記憶先のフォルダとして設定することも考えられる。また，対応する関連文字各々の合計数が最も多いフォルダを記憶先のフォルダとして設定してもよい。
【実施例２】
【００３３】
本実施例２では，前記ステップＳ１０１に換わる処理として，前記ステップＳ８０で抽出された複数のフォルダのうち，いずれのフォルダを記憶先フォルダとして選択するかを利用者に選択させる処理が実行される例について説明する。
ここでは，前記実施例１と同様に，利用者Ａによって関連文字「Ｂ１１１」，「Ｂ１１２」が含まれた原稿Ｔ４の画像の読み取りが要求された場合に実行される処理を例に挙げて説明する。
この場合に実行される本実施例２に係るステップＳ１０１では，まず，前記制御部１によって，前記ステップＳ８０で抽出された複数のフォルダが，対応する関連文字の数の多い順に並べられて前記操作表示部２に表示される。ここに，前記表示処理を実行するときの前記制御部１及び前記操作表示部２が表示手段に相当する。これにより，利用者Ａは，前記原稿Ｔ４と関連の深いフォルダを一目で判断することができる。そして，利用者Ａによって前記操作表示部２に対していずれのフォルダを記憶先のフォルダとするかの選択操作が行われると，その選択されたフォルダが記憶先のフォルダとして選択される。
【図面の簡単な説明】
【００３４】
【図１】本発明の実施の形態に係るスキャナ装置の概略構成を示すブロック図。
【図２】本発明の実施の形態に係るスキャナ装置の記憶部を説明するための図。
【図３】本発明の実施の形態に係るスキャナ装置で用いられる関連情報の一例を示す図。
【図４】本発明の実施の形態に係るスキャナ装置において実行される記憶先選択処理の手順の一例を説明するためのフローチャート。
【符号の説明】
【００３５】
１…制御部
２…操作表示部
３…画像読取部
４…データ通信部
５…記憶部
６…カードリーダー
５１〜５３，５１ａ〜ｃ，５２ａ〜ｃ，５３ａ〜ｃ…フォルダ
Ｓ１，Ｓ２，，，…処理手順（ステップ）番号
【図１】
2007148640.tif 000003
【図２】
2007148640.tif 000004
【図３】
2007148640.tif 000005
【図４】
2007148640.tif 000006